(57)【要約】【課題】  臨床検査室用の自動分析装置において、反応過程のレビュー作業が容易に効率良く行うこと。【解決手段】  試料と試薬を混合する反応容器と、該反応容器中の液体の吸光度変化を複数の波長で測定可能な光度計と、該光度計で測定された複数波長での吸光度変化情報を記憶する記憶手段と、少なくとも、測定波長を含む複数の検索条件を指定する検索条件指定手段と、該検索条件指定手段により指定された検索条件に合致した吸光度変化情報を前記記憶手段から抽出する抽出手段と、該抽出手段により抽出された吸光度変化情報を同時に出力する出力手段と、を備えた自動分析装置。【選択図】図１
2005207897.tif 000002
【特許請求の範囲】
【請求項１】
試料と試薬を混合する反応容器と、
該反応容器中の液体の吸光度変化を複数の波長で測定可能な光度計と、
該光度計で測定された複数波長での吸光度変化情報を記憶する記憶手段と、
少なくとも、測定波長を含む複数の検索条件を指定する検索条件指定手段と、
該検索条件指定手段により指定された検索条件に合致した吸光度変化情報を前記記憶手段から抽出する抽出手段と、
該抽出手段により抽出された吸光度変化情報を同時に出力する出力手段と、
を備えたことを特徴とする自動分析装置。
【請求項２】
請求項１記載の検索条件に測定項目名と当該項目の測定結果の範囲を含むことを特徴とする自動分析装置。
【請求項３】
請求項１記載の検索条件に、更に測光点と当該測光点における吸光度範囲を含むことを特徴とする自動分析装置。
【請求項４】
請求項１において、出力した複数の反応過程の吸光度変化情報の吸光度表示スケールまたは吸光度表示時間スケールを調整する調整手段を備えたことを特徴とする自動分析装置。
【発明の詳細な説明】
【技術分野】
【０００１】
本発明は、生体試料中の特定成分の定性・定量分析を行う自動分析装置に係り、特に複数の波長で吸光度測定を行う自動分析装置に関する。
【背景技術】
【０００２】
患者の血液，尿等の生体試料中に含まれる成分を分析する臨床検査では、試料と試薬を反応させ、反応液の色の変化を吸光度（特定波長の光の強度の変化の測定）変化として測定し、目的成分の定性・定量分析をする方式が一般的である。用いる試薬の種類により、最も大きな吸光度変化の現れる光の波長が異なるため、通常は複数波長（８波長，１２波長，１６波長等）での測定を行い、分析パラメータで設定された波長における吸光度変化に基づいて目的成分の濃度等が算出される。
【０００３】
従来の自動分析装置は、特許文献１に示されるように、分析パラメータで設定された波長、すなわち測定結果の算出に用いられた１つの波長における反応過程（吸光度変化）のみを画面に表示するのが一般的である。また、同一項目について異なる検体の反応過程を比較表示する機能は従来の自動分析装置にも備えられていたが、比較による反応過程のレビュー作業を効率良く行うための手段が提供されていなかった。
【０００４】
【特許文献１】特公平６−２７７４３号公報
【発明の開示】
【発明が解決しようとする課題】
【０００５】
従来の装置でも複数波長（８波長，１２波長，１６波長等）での測定結果は分析装置に一時的に記憶されるが、分析パラメータで指定された測定結果の算出以外の波長における反応過程を比較表示する機能や、複数の反応過程についての比較作業を容易に行うための手段が無く、反応過程のレビュー作業が煩雑になっていた。一方、近年、測定結果を算出した波長以外の波長での吸光度変化と疾病との関係等が検討されるようになっている。
【０００６】
本発明の目的は、複数波長での吸光度変化のレビュー作業を効率良く行うための手段を備えた自動分析装置を提供することにある。
【課題を解決するための手段】
【０００７】
上記目的を達成するため、本発明は、複数の指定条件を入力する画面と、装置が利用しうる波長における反応過程を記憶する手段と、前記の複数の指定条件に基づいて前記の反応過程を記憶手段に記憶されている反応過程から所望の反応過程のみを抽出する手段と、抽出された反応過程を表示する手段によって構成される。
【発明の効果】
【０００８】
本発明によれば、臨床検査室用の自動分析装置において、反応過程のレビュー作業を効率良く行うことが出来る。
【発明を実施するための最良の形態】
【０００９】
以下、本発明にかかる実施例を図面に基づいて説明する。
【００１０】
図１は本発明を適用した自動分析装置を示す概略図である。
【００１１】
図１において、１は検体容器、２はサンプルディスク、３はコンピュータ、４はインターフェイス、５は検体分注機構、６は反応容器、７は検体用ポンプ、８は試薬分注プローブ、９は反応槽、１１は試薬用ポンプ、１２は試薬容器、１３は撹拌機構、１５は多波長光度計、１６はＡ／Ｄコンバータ、１７はプリンタ、１８は表示部、１９は洗浄機構、
２１は入力手段であるキーボード、２３は試薬バーコード読み取り装置、２５はハードディスク、２６は試薬ディスクである。ハードディスク２５では、分析パラメータ，測定結果，反応過程等を記憶している。分析パラメータには、測定結果の算出用の波長，濃度演算方法を含む。
【００１２】
自動分析装置の動作は下記のようにサンプリング，試薬分注，撹拌，測光，反応容器の洗浄，濃度換算等のデータ処理の順番に実施される。
【００１３】
試料を入れた検体容器１は、サンプルディスク２上に複数個設置されている。前記検体容器１は、コンピュータ３によりインターフェイス４を介して制御される。また、前記検体容器１は、分析される試料の順番に従って前記検体分注機構５の下まで移動し、所定の検体容器１の検体は、検体分注機構５に連結された検体用ポンプ７により反応容器６の中に所定量分注される。前記検体を分注された前記反応容器６は、反応槽９の中を第１試薬添加位置まで移動する。移動した前記反応容器６には、試薬分注プローブ８に連結された試薬用ポンプ１１により試薬容器１２から吸引された試薬が所定量加えられる。第１試薬添加後の反応容器６は、撹拌機構１３の位置まで移動し、最初の撹拌が行われる。このような試薬の添加−撹拌が、第１〜第４試薬について行われる。内容物が撹拌された前記反応容器６は光源から発した光束中を通過し、この時の吸光度は多波長光度計１５により検知される。検知された前記吸光度信号はＡ／Ｄコンバータ１６を経由して、インターフェイス４を介してコンピュータ３に入る。分析パラメータで指定された波長の吸光度信号は、検体の濃度に変換される。濃度変換されたデータは、前記インターフェイス４を介してプリンタ１７から印字出力され、ハードディスク２５に記憶される。分析パラメータで指定されていない波長の吸光度信号もＡ／Ｄコンバータ１６を経由して、インターフェイス４を介した後に、ハードディスク２５に記憶される。測光の終了した前記反応容器６は、洗浄機構１９の位置まで移動し、内部の液体を排出後、水で洗浄され、次の分析に供される。
【００１４】
ハードディスク２５に記憶された多数の反応過程の中から、キーボード２１などの入力手段によって入力された指定条件に基づいて、コンピュータ３が反応過程の抽出を行い、表示部１８に表示する。
【００１５】
このように、反応過程を比較し易い条件を指定可能とすることで操作者による反応過程のレビュー作業が効率良く実施することが可能となる。
【００１６】
図２は、本発明を適用した自動分析装置における反応過程の抽出条件を指定する画面の一例である。項目名３１，測定時間範囲３２，測定結果範囲３３，波長３４，測光点と当該測光点における吸光度範囲３５である。項目名３１には、抽出したい反応過程の項目名称、例えば「グルコース」を選択する。測定時間範囲３２は、測定結果の測定時間の範囲、例えば「２００３年８月２１日７時０分〜２００３年８月２３日１７時０分」と指定する。測定結果範囲３３には、測定結果の測定範囲例えばグルコースを例にすると、「７０〜７３mg／dl」と指定する。波長３４には、抽出する反応過程の波長を選択する。ここで選択される波長は、必ずしも測定結果の算出に使用された波長である必要は無い。測光点・吸光度範囲３５には、前記の波長３４で指定された波長における、測光点と当該測光点における吸光度の範囲を指定する。以上のように、反応過程を抽出するための複数の条件を指定できる。入力した反応過程を抽出するための条件をメモリに記憶させる場合には、設定条件登録ボタン３８を選択する。ここで記憶させる条件の名称をオペレータが認識しやすい名称に編集する場合は、設定条件登録名称エリア３９に入力する。
【００１７】
図３は、前記の図２で設定した指定条件によって抽出された反応過程の比較表示画面の一例である。この例においては、Ｔ１における吸光度とＴ２における吸光度の差を用いて測定結果を算出する項目を取り上げている。反応過程（イ），反応過程（ロ），反応過程（ハ）を比較した場合に、Ｔ１およびＴ２における吸光度の差はほぼ同じであるため測定結果も、同じ程度の値が算出される。しかしながら、反応過程（ハ）においては反応中に何らかの異常、例えば飛び散った洗浄水が反応中の反応容器に入ったために反応溶液が希釈され結果的に吸光度が低下する現象、が発生していることが容易に判断できる。
【００１８】
反応過程の表示されている同じ画面に設けられた、比較表示条件設定ボタン３６を押すことにより、前述の図２に示した反応過程の抽出条件を指定する画面を呼び出すことが容易に実行できる。
【００１９】
さらに、予めオペレータが設定した条件に適した反応過程を記憶している複数の反応過程の中から装置が自動的に抽出して表示するための自動比較ボタン３７を設けることにより、オペレータの操作の手間を軽減することができる。
【００２０】
図４は、表示した複数の反応過程の吸光度を調整する機能をもつ画面の一例である。前記の図２における指定条件で、測定結果範囲３３や測定点・吸光度範囲３５の設定が適切になされなかった場合や、検体の性状によってＴ１における吸光度が検体毎に異なるために、複数の反応過程を同時に表示した場合には、表示される反応過程の吸光度のスケールが大きくなり、その結果として、反応過程（ニ），反応過程（ホ），反応過程（ヘ）の違いを見分けることは困難になる。その場合には、基準測光点における基準吸光度を設定し、比較が容易になるような反応過程の再表示が必要となる。このように、反応過程の再表示を実施する場合に、表示反応過程調整４１を操作者が指定することにより、調整された反応過程を再表示する。
【００２１】
図５は、前記の図４で述べた「表示反応過程調整４１」が指定された場合に実行される反応過程の再表示用処理フロー図である。
【００２２】
図６は、前記の図４で示した反応過程を、前記の図５で述べた再表示処理実行後に表示された反応過程の図である。表示反応過程調整の機能を持つことにより、複数の検体の反応過程の比較が容易になる。
【図面の簡単な説明】
【００２３】
【図１】本発明の一実施例の自動分析装置を示す概略図。
【図２】反応過程抽出条件の設定画面。
【図３】反応過程の表示画面。
【図４】表示反応過程調整機能を備えた反応過程の表示画面。
【図５】反応過程の再表示用処理フロー図。
【図６】反応過程の表示画面。
【符号の説明】
【００２４】
１…検体容器、２…サンプルディスク、３…コンピュータ、４…インターフェイス、５…検体分注機構、６…反応容器、７…検体用ポンプ、８…試薬分注プローブ、９…反応槽、１１…試薬用ポンプ、１２…試薬容器、１３…撹拌機構、１５…多波長光度計、１６…Ａ／Ｄ変換コンバータ、１７…プリンタ、１８…表示部、１９…洗浄機構、２３…試薬バーコード読み取り装置、２５…ハードディスク、２６…試薬ディスク、３１…項目名入力エリア、３２…測定時間範囲入力エリア、３３…測定結果範囲入力エリア、３４…波長選択エリア、３５…測光点・吸光度範囲入力エリア、３６…比較表示条件設定ボタン、３７…自動比較ボタン、３８…設定条件登録ボタン、３９…設定条件登録名称エリア。
【図１】
2005207897.tif 000003
【図２】
2005207897.tif 000004
【図３】
2005207897.tif 000005
【図４】
2005207897.tif 000006
【図５】
2005207897.tif 000007
【図６】
2005207897.tif 000008